(57)【要約】【課題】  簡単に映像等の品質の悪いチャンネルが選局されないようにすることが可能なテレビジョンの提供を課題とする。【解決手段】  予めチャンネルリストＴ１に記憶されたＲＦ−ＡＧＣ電圧に基づいて受信状態が悪いチャンネルを検索し、同検索されたチャンネルを一括して削除している。各チャンネルを個別に削除する必要がなく使い勝手がよくなる。また、一括削除されるチャンネルの候補を受信状態が悪いチャンネルに絞り込むため、受信状態がよいチャンネルが誤って削除されることが防止できる。【選択図】  図３
2007005919.tif 000002
【特許請求の範囲】
【請求項１】
チャンネルと同チャンネルの搬送周波数との対応関係を規定したチャンネルリストを参照して、各チャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、
各チャンネルを受信したときの上記ＡＧＣ電圧を上記チャンネルリストに記憶するＡＧＣ電圧記憶手段と、
各チャンネルの受信時に一括削除指示の入力を受け付ける入力手段と、
上記一括削除指示の入力を受け付けられたときに受信する上記チャンネルの上記ＡＧＣ電圧を基準ＡＧＣ電圧として取得する基準ＡＧＣ電圧取得手段と、
上記基準ＡＧＣ電圧よりも受信状態が悪くなる上記ＡＧＣ電圧が記憶された上記チャンネルを上記チャンネルリストにて検索する検索手段と、
上記検索手段にて検索された上記チャンネルの一覧表示を行う一覧表示手段と、
上記一覧表示にて一括削除を実行する上記チャンネルの指定を受け付けるチャンネル指定手段と、
上記検索手段にて検索された上記チャンネルであって、上記チャンネル指定手段によって指定された上記チャンネルを上記チャンネルリストから一括して削除する一括削除手段とを具備することを特徴とするテレビジョン。
【請求項２】
チャンネルと同チャンネルの搬送周波数との対応関係を規定したチャンネルリストを参照して、各チャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、
各チャンネルを受信したときの上記ＡＧＣ電圧を上記チャンネルリストに記憶するＡＧＣ電圧記憶手段と、
上記ＡＧＣ電圧に基づいて信号強度の弱い上記チャンネルを検索する検索手段と、
上記検索手段にて検索された上記チャンネルを上記チャンネルリストから一括して削除する一括削除手段とを具備することを特徴とするテレビジョン。
【請求項３】
各チャンネルの受信時に一括削除指示の入力を受け付ける入力手段と、
上記一括削除指示の入力を受け付けられたときに受信する上記チャンネルの上記ＡＧＣ電圧を基準ＡＧＣ電圧として取得する基準ＡＧＣ電圧取得手段とを具備するとともに、
上記検索手段は、上記基準ＡＧＣ電圧よりも信号強度が弱くなる上記ＡＧＣ電圧が記憶された上記チャンネルを上記チャンネルリストにて検索することを特徴とする請求項２に記載のテレビジョン。
【請求項４】
上記検索手段にて検索された上記チャンネルの一覧を表示する一覧表示手段を具備することを特徴とする請求項２から請求項３のいずれかに記載のテレビジョン。
【請求項５】
上記一覧表示にて一括削除を実行する上記チャンネルの指定を受け付けるチャンネル指定手段を具備するとともに、
上記一括削除手段は、上記検索手段にて検索された上記チャンネルであって、上記チャンネル指定手段によって指定された上記チャンネルを上記チャンネルリストから一括して削除することを特徴とする請求項４に記載のテレビジョン。
【発明の詳細な説明】
【技術分野】
【０００１】
本発明はテレビジョンに関し、特に受信するチャンネルに対応した搬送周波数のテレビ電波を選択し、同選択したテレビ電波から中間周波信号を生成する選局手段を具備するテレビジョンに関する。
【背景技術】
【０００２】
従来、この種のテレビジョンとして、チャンネルを自動プリセットした後に、不要なチャンネルを削除するものが知られている（例えば、特許文献１参照）。
かかる構成によれば、同期信号が検出されず映像を再現することができない、チャンネルについて選局が行われることを防止することができた。
【０００３】
【特許文献１】特開２００１−１６５２４号公報
【発明の開示】
【発明が解決しようとする課題】
【０００４】
しかしながら、信号強度が低いチャンネルであっても同期信号が検出されれば削除されることはないため、映像の品質の悪いチャンネルが受信されるという問題があった。特に、地上波放送の場合、本来のテレビ電波からスプリアス成分が派生することがある。このスプリアス成分は、同期信号を含むとともに信号強度が減衰する性質があるため、上述した技術では信号強度が弱く映像の品質が悪いにもかかわらず削除されない。一方、使用者が映像の品質が悪いチャンネルを個別に削除することも可能であるが、チャンネルごと削除を行う必要があり作業が煩雑であるという課題があった。
本発明は、上記課題にかんがみてなされたもので、簡単に映像等の品質の悪いチャンネルが選局されないようにすることが可能なテレビジョンの提供を目的とする。
【課題を解決するための手段】
【０００５】
上記目的を達成するために、請求項２にかかる発明では、チャンネルと同チャンネルの搬送周波数との対応関係を規定したチャンネルリストを参照して、各チャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、各チャンネルを受信したときの上記ＡＧＣ電圧を上記チャンネルリストに記憶するＡＧＣ電圧記憶手段と、上記ＡＧＣ電圧に基づいて信号強度の弱い上記チャンネルを検索する検索手段と、上記検索手段にて検索された上記チャンネルを上記チャンネルリストから一括して削除する一括削除手段とを具備する構成としてある。
【０００６】
上記のように構成した請求項２において、選局手段が受信するチャンネルに対応した搬送周波数のテレビ電波を選択することにより、所望のチャンネルを受信することができる。選局手段は受信したテレビ電波に基づいて中間周波信号を生成する。チャンネルと同チャンネルの搬送周波数との対応関係を規定したチャンネルリストが設けられるため、同チャンネルリストを参照して選局を行うことができる。増幅手段は上記中間周波信号の信号強度を検出し、それに応じたＡＧＣ電圧を生成する。そして、ＡＧＣ電圧に基づく増幅率によって上記中間周波信号を増幅する。すなわち、上記増幅手段は、上記中間周波信号の信号強度に基づいて同信号強度を調整するフィードバック制御を行う。
【０００７】
ＡＧＣ電圧記憶手段は各チャンネルを受信したときの上記ＡＧＣ電圧を上記チャンネルリストに記憶する。例えば、チャンネルをオートプリセットしたときの上記ＡＧＣ電圧を上記チャンネルリストに記憶すればよい。検索手段は、信号強度の弱い上記チャンネルを上記ＡＧＣ電圧に基づいて検索する。そして、一括削除手段は、上記検索手段にて検索された上記チャンネルを上記チャンネルリストから一括して削除する。これにより、信号強度の弱い上記チャンネルを一括して上記チャンネルリストから除外することができる。なお、上記一括削除手段が行う削除によって各チャンネルのデータが上記チャンネルリストから物理的に削除されている必要はなく、当該チャンネルが選局されないように無効化されていればよい。
【０００８】
また、請求項３にかかる発明では、各チャンネルの受信時に一括削除指示の入力を受け付ける入力手段と、上記一括削除指示の入力を受け付けられたときに受信する上記チャンネルの上記ＡＧＣ電圧を基準ＡＧＣ電圧として取得する基準ＡＧＣ電圧取得手段とを具備するとともに、上記検索手段は、上記基準ＡＧＣ電圧よりも信号強度が弱くなる上記ＡＧＣ電圧が記憶された上記チャンネルを上記チャンネルリストにて検索する構成としてある。
【０００９】
上記のように構成した請求項３の発明において、入力手段が各チャンネルの受信時に一括削除指示の入力を受け付ける。基準ＡＧＣ電圧取得手段は、上記一括削除指示の入力を受け付けられたときに受信する上記チャンネルの上記ＡＧＣ電圧を基準ＡＧＣ電圧として取得する。そして、上記検索手段が上記基準ＡＧＣ電圧よりも信号強度が弱くなる上記ＡＧＣ電圧が記憶されている上記チャンネルを上記チャンネルリストにおいて検索する。すなわち、各チャンネルを実際に受信してみて映像等の品質が悪いと感じたときに、一括削除指示を入力することができる。そして、現在受信しているチャンネルを基準として、同チャンネルよりも信号強度が弱くなる上記チャンネルを上記チャンネルから削除することができる。
【００１０】
さらに、請求項４にかかる発明では、上記検索手段にて検索された上記チャンネルの一覧を表示する一覧表示手段を具備する構成としてある。
上記のように構成した請求項４の発明において、一括削除の候補となっている信号強度が弱い上記チャンネルの一覧を確認しながら一括削除を実行することができる。
【００１１】
また、請求項５にかかる発明では、上記一覧表示にて一括削除を実行する上記チャンネルの指定を受け付けるチャンネル指定手段を具備するとともに、上記一括削除手段は、上記検索手段にて検索された上記チャンネルであって、上記チャンネル指定手段によって指定された上記チャンネルを上記チャンネルリストから一括して削除する構成としてある。
【００１２】
上記のように構成した請求項５の発明において、チャンネル指定手段は一括削除を実行する上記チャンネルの指定を上記一覧表示において受け付ける。そして、上記一括削除手段は、上記検索手段にて検索された上記チャンネルのうち上記チャンネル指定手段によって指定された上記チャンネルを上記チャンネルリストから一括して削除する。これにより、上記一覧表示された上記チャンネルであっても、使用者が受信を希望するチャンネルについては削除されないようにすることができる。
【００１３】
以上の構成を踏まえたうえで、請求項１の発明は、チャンネルと同チャンネルの搬送周波数との対応関係を規定したチャンネルリストを参照して、各チャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、各チャンネルを受信したときの上記ＡＧＣ電圧を上記チャンネルリストに記憶するＡＧＣ電圧記憶手段と、各チャンネルの受信時に一括削除指示の入力を受け付ける入力手段と、上記一括削除指示の入力を受け付けられたときに受信する上記チャンネルの上記ＡＧＣ電圧を基準ＡＧＣ電圧として取得する基準ＡＧＣ電圧取得手段と、上記基準ＡＧＣ電圧よりも受信状態が悪くなる上記ＡＧＣ電圧が記憶された上記チャンネルを上記チャンネルリストにて検索する検索手段と、上記検索手段にて検索された上記チャンネルの一覧表示を行う一覧表示手段と、上記一覧表示にて一括削除を実行する上記チャンネルの指定を受け付けるチャンネル指定手段と、上記検索手段にて検索された上記チャンネルであって、上記チャンネル指定手段によって指定された上記チャンネルを上記チャンネルリストから一括して削除する一括削除手段とを具備する構成としてある。
【００１４】
このような、より具体的な構成において上述した請求項２〜請求項５の各発明と同様の作用を奏することは言うまでもない。
【発明の効果】
【００１５】
以上説明したように請求項１および請求項２の発明によれば、簡単に映像等の品質の悪いチャンネルが選局されないようにすることが可能なテレビジョンを提供することができる。
請求項３の発明によれば、受信中のチャンネルよりも品質の悪いチャンネルを一括削除することができる。
請求項４の発明によれば、一括削除するチャンネルを確認することができる。
請求項５の発明によれば、必要なチャンネルをチャンネルリストに残しておくことができる。
【発明を実施するための最良の形態】
【００１６】
ここでは、下記の順序に従って本発明の実施形態について説明する。
（１）テレビジョンの構成：
（２）オートプリセット：
（３）一括削除：
（４）まとめ：
【００１７】
（１）テレビジョンの構成：
図１は、本発明の一実施形態にかかるテレビジョンを概略ブロック図により示している。なお、同図においては図の簡略化のため映像信号の処理系統のみを示すものとする。テレビジョン１０は、チューナ１１とＳＡＷ(Surface Acoustic Wave)フィルタ１２と中間周波増幅回路１３と映像検波回路１４と映像信号処理回路１５とＡＧＣ回路１６とＡＦＴ回路１７とＥＥＰＲＯＭ１８とマイコン１９とから構成されている。また、テレビジョン１０にはアンテナ端子１０ａを介してアンテナ３０が接続されており、同アンテナ３０にて受信した地上波テレビ電波がチューナ１１に入力される。チューナ１１は、テレビ電波が搬送された搬送周波数をチャンネルごとに選択し、局部発信回路にて中間周波信号を生成する。このチューナ１１は、いわゆるＰＬＬシンセサイザ方式の選局方式を採用しており、各種の固定分周器や可変分周器の分周比を選択することによって受信可能な周波数を制御することが可能であり、かかる周波数制御はマイコン１９から送出される制御信号に従って行われる。
【００１８】
マイコン１９は、バス１９ｄによって接続されたＣＰＵ１９ａとＲＯＭ１９ｂとＲＡＭ１９ｃとから構成されており、バス１９ｄにはＡ／Ｄポート１９ｅ，１９ｆが接続されている。ＣＰＵ１９ａはＲＯＭ１９ｂに記憶された制御プログラムを読み出して、ＲＡＭ１９ｃをワークエリアとして利用しながら同制御プログラムに準じた処理を実行させる。Ａ／Ｄポート１９ｅにはＲＦ−ＡＧＣ電圧が入力されており、もう一方のＡ／Ｄポート１９ｆにはＡＦＴ電圧が入力されている。ＲＦ−ＡＧＣ電圧およびＡＦＴ電圧は所定の範囲で推移する直流電圧であるが、Ａ／Ｄポート１９ｅ，１９ｆを介することにより、同直流電圧の電圧値に応じたデジタル信号に変換される。
【００１９】
マイコン１９の外部にはＥＥＰＲＯＭ１８が接続されており、同ＥＥＰＲＯＭ１８にはチャンネルリストＴ１が記憶されている。図２は、チャンネルリストＴ１に記述される内容を示している。同図において、各チャンネル番号に対応するテレビ電波が搬送される搬送周波数が記憶されている。マイコン１９は、操作パネルやリモコンの操作によってチャンネルの指定を受け付けると、同指定されたチャンネルに対応した搬送周波数をチャンネルリストＴ１から特定し、同特定した搬送周波数をチューナ１１に設定するための制御信号を出力する。また、各チャンネルには無効化するフラグを添付することが可能となっており、同フラグが添付されると当該チャンネルは無視される。すなわち、チャンネルリストＴ１に記憶されてないものとして取り扱われ、チャンネルアップやチャンネルダウンを行ったときにはスキップされる。
【００２０】
このようにすることにより、指定されたチャンネルのテレビ電波をチューナ１１にて受信することができる。なお、チャンネルリストＴ１に各チャンネルに対応した搬送周波数が記憶されてもよいし、各搬送周波数に対応して設定されるチューナ１１における固定分周器や可変分周器の分周比が記憶されてもよい。いずれにしても、チューナ１１にて受信する搬送周波数とチャンネルの対応関係が規定されることには相違ない。なお、各チャンネルに対応づけて放送局名等を記憶するようにしてもよい。ＥＥＰＲＯＭ１８は書き換え可能であり、チャンネルリストＴ１を更新することができる。また、マイコン１９にはリモコン受光部２０が接続されており、図示しないリモコンから赤外線信号を受信し、マイコン１９に同赤外線信号に応じた制御信号を入力することが可能となっている。
【００２１】
ＳＡＷ(Surface Acoustic Wave)フィルタ１２は中間周波信号を入力し、同中間周波信号の表面波の周波数帯域を適正化する。チューナ１１が生成した中間周波信号の信号強度は、入力したテレビ電波の状態に応じてチャンネルごとに様々である。そのため、チューナ１１および中間周波増幅回路１３にて信号強度が調整される。チューナ１１において中間周波信号を増幅する際の増幅率はＲＦ−ＡＧＣ電圧に基づいて制御され、中間周波増幅回路１３において中間周波信号を増幅する際の増幅率はＩＦ−ＡＧＣ電圧に基づいて制御される。ＲＦ−ＡＧＣ電圧およびＩＦ−ＡＧＣ電圧はともにＡＧＣ回路１６にて生成されており、ＡＧＣ回路１６には中間周波増幅回路１３および映像検波回路１４を経た複合映像信号が入力されている。
【００２２】
ＡＧＣ回路１６は映像検波回路１４から出力された中間周波信号である複合映像信号を取得し、同複合映像信号に応じたＲＦ−ＡＧＣ電圧およびＩＦ−ＡＧＣ電圧を生成する。具体的には、複合映像信号の信号強度が大きい場合には低いＲＦ−ＡＧＣ電圧およびＩＦ−ＡＧＣ電圧を生成し、複合映像信号の信号強度が小さい場合には高いＲＦ−ＡＧＣ電圧およびＩＦ−ＡＧＣ電圧を生成する。ＲＦ−ＡＧＣ電圧においては、０〜５Ｖとの間で電圧レベルが変動する。ＲＦ−ＡＧＣ電圧はチューナ１１に入力され、同ＲＦ−ＡＧＣ電圧が高いほどチューナ１１における中間周波信号の増幅率が上昇させられる。このように、増幅後の複合映像信号の信号強度に基づくＲＦ−ＡＧＣ電圧によってチューナ１１における中間周波信号の増幅率がフィードバック制御されるため、中間周波信号や複合映像信号の信号強度を理想的な値に収束させることができる。なお、ＲＦ−ＡＧＣ電圧に基づいて中間周波信号の増幅を行うチューナ１１が本発明の増幅手段に相当する。
【００２３】
同様に、ＩＦ−ＡＧＣ電圧は中間周波増幅回路１３に入力され、同ＩＦ−ＡＧＣ電圧が高いほどチューナ１１における中間周波信号の増幅率が上昇させられる。中間周波増幅回路１３においても、増幅後の複合映像信号の信号強度に基づくＩＦ−ＡＧＣ電圧によって中間周波信号の増幅率がフィードバック制御されるため、中間周波信号や複合映像信号の信号強度を理想的な値に収束させることができる。中間周波増幅回路１３から出力された中間周波信号は、映像検波回路１４に入力され、同映像検波回路１４にて複合映像信号が抽出される。
【００２４】
チューナ１１が生成した中間周波信号の周波数は５８．７５ＭＨｚであることが望ましいがテレビ電波の受信状況によって誤差が生じる。そこで、ＡＦＴ回路１７を設け、同ＡＦＴ回路１７にて中間周波増幅回路１３における中間周波信号の周波数に基づくＡＦＴ電圧を作成する。具体的には、中間周波増幅回路１３の中間周波信号から映像搬送波を取り出し、ＦＭ検波回路にて同映像搬送波と基準周波数（５８．７５ＭＨｚ）とのずれに応じた電圧を生成し、同電圧を直流増幅することによりＡＦＴ電圧を生成する。ＡＦＴ電圧が入力されたチューナ１１においては、局部発信回路に同ＡＦＴ電圧を作用させることにより、中間周波信号の周波数を５８．７５ＭＨｚに収束させる。この意味でチューナ１１とＡＦＴ回路１７が本発明の周波数補正手段に相当する。なお、中間周波信号の周波数が低周波側にずれている場合には、高いＡＦＴ電圧が出力され、局部発信回路における発信周波数が上昇する。反対に、中間周波信号の周波数が高周波側にずれている場合には、低いＡＦＴ電圧が出力され、局部発信回路における発信周波数が低下する。
【００２５】
一方、映像検波回路１４から出力された複合映像信号は、映像信号処理回路１５に入力される。複合映像信号は輝度信号と搬送色信号と同期信号とが合成された複合波であるが、映像信号処理回路１５では複合映像信号を上記各信号に分離する処理を行う。特に、映像信号処理回路１５には同期分離回路１５ａが備えられており、同期分離回路１５ａにて垂直同期信号や水平同期信号が抽出される。なお、同期分離回路１５ａにて同期信号が検出された場合には、その旨の同期検出信号がマイコン１９に出力される。
【００２６】
（２）オートプリセット：
以上説明した本テレビジョン１０の構成において、チャンネルをオートプリセットする処理が実行される。マイコン１９のＲＯＭ１９には当該処理を実行させるための制御プログラムが記憶されており、ＣＰＵ１９が同制御プログラムに基づいた処理を実行させる。図３は、マイコン１９が実行させるオートプリセットの流れを示している。同図において、ステップＳ１００においてチャンネルを選択する。なお、本実施形態においては、受信され得る全チャンネルの搬送周波数がデフォルトとしてチャンネルリストＴ１に記憶されており、それぞれについて後述する処理を行うことにより、各搬送周波数において受信可能なテレビ電波の存否が検証される。そして、受信可能なテレビ電波が存在しないと検証された搬送周波数についてのデータのみチャンネルリストＴ１にて無効化するフラグを添付する処理を行う。
【００２７】
ステップＳ１１０では、選択されたチャンネルに対応する搬送周波数をチャンネルリストＴ１から取得する。そして、マイコン１９が同搬送周波数帯を受信するようにチューナ１１に制御信号を送出する。ステップＳ１２０においては同期分離回路１５ａから入力される同期検出信号に基づいて同期信号が検出されたかどうかが判定される。同期信号が検出されない場合にはステップＳ１２５にて当該チャンネルについてのデータを無効化する。すなわち、先に選択したチャンネルに対応づけられた搬送周波数帯域には受信可能なテレビ電波が存在しないとして、当該チャンネルをチャンネルリストＴ１にて無効化する。当該チャンネルをチャンネルリストＴ１にて無効化すると、ステップＳ１７０において全てのチャンネルについて処理が完了したかどうかが確認される。そして、完了していなければ、Ｓ１００に戻り次のチャンネルを対象として処理を続行する。
【００２８】
なお、ステップＳ１２０においては、ステップＳ１１０にて最初に設定した搬送周波数を中心として、搬送周波数を所定の範囲でシフトさせるようにしてもよい。このようにすることにより、多少の搬送周波数を許容することができる。ただし、搬送周波数をシフトさせる回数が増大すると処理に時間が要するため、そのシフト回数を２回程度に制限しておくことが望ましい。
【００２９】
一方、同期信号が検出された場合にはステップＳ１３０において、Ａ／Ｄポート１９ｆを介してデジタル化されたＡＦＴ電圧を取得する。そして、ステップＳ１４０においてはＡＦＴ電圧が所定の範囲の値となっているかどうかを判定する。ＡＦＴ電圧は中間周波信号の周波数のずれを意味するものであるため、ＡＦＴ電圧の値が正常でない場合、受信された信号の周波数が正常ないといえる。従って、ＡＦＴ電圧の値が正常でない場合にはステップＳ１２５にて当該チャンネルについてのデータを無効化する。すなわち、先に選択したチャンネルに対応づけられた搬送周波数帯域には受信可能なテレビ電波が存在しないとして、当該チャンネルをチャンネルリストＴ１にて無効化する。当該チャンネルをチャンネルリストＴ１にて無効化すると、ステップＳ１７０において全てのチャンネルについて処理が完了したかどうかが確認される。そして、完了していなければ、Ｓ１００に戻り次のチャンネルを対象として処理を続行する。
【００３０】
例えば、±５０ｋＨｚ以内の周波数のずれとなるようにＡＦＴ電圧の許容範囲を設定すれば、適正なテレビ電波が存否を判定することができる。なお、ＡＦＴ電圧値の変動状態も考慮してＡＦＴ電圧の適正を判定するようにしてもよい。例えば、チューナ１１が受信する搬送周波数を徐々にシフトさせ、これに追従してＡＦＴ電圧が上記の許容範囲内において単調増加または単調減少していればＡＦＴ電圧が適正であると判定するようにしてもよい。
【００３１】
一方、適正なＡＦＴ電圧であった場合には、ステップＳ１５０にてＡ／Ｄポート１９ｆを介してデジタル化されたＲＦ−ＡＧＣ電圧を取得する。ステップＳ１６０ではチャンネルと搬送周波数とＲＦ−ＡＧＣ電圧とをチャンネルリストＴ１に記憶させる。ステップＳ１７０においては、全てのチャンネルについて処理が完了したかどうかが確認され、完了していなければ、Ｓ１００に戻り次のチャンネルを対象として処理を続行する。すなわち、デフォルトで登録されている各チャンネルについて、それぞれ同期信号が検出可能であることと、中間周波信号の周波数のずれが少ないことが検証され、両条件を満足するチャンネルについてのみ受信中のＲＦ−ＡＧＣ電圧をチャンネルリストＴ１に記憶させることができる。なお、ステップＳ１６０を実行するマイコン１９が本発明のＡＧＣ電圧記憶手段に相当する。
【００３２】
ステップＳ１７０において全てのチャンネルについて処理が完了したことが確認できると、オートプリセットの処理を完了させる。以上のようにオートプリセットが完了すると、チャンネルリストＴ１には同期信号が検出され、中間周波信号の周波数のずれが少ないチャンネルのみが有効な状態で残存することとなる。従って、チャンネルリストＴ１を参照して選局を行うことにより、受信可能なチャンネルのみを選局することが可能となる。なお、オートプリセットを行ったあとに、各チャンネルについて放送局名やチャンネル番号等の対応付けをする、チャンネルマッピングを行うようにしてもよい。
【００３３】
（３）一括削除：
図４は、受信状態の悪いチャンネルをチャンネルリストＴ１から削除する処理の流れを示している。同図において、ステップＳ２００では通常の受信が行われる。すなわち、オートプリセットを行った後のチャンネルリストＴ１を参照して、マイコン１９が各チャンネルに対応する搬送周波数を取得し、同搬送周波数をチューナ１１に設定する。そして、チューナ１１が中間周波信号を生成し、同中間周波信号に基づいた映像や音声が再生されている。ステップＳ２１０においては、一括削除の操作を受け付けている。具体的には、図示しないリモコンにて一括削除を実行するための操作を行うと、同操作に応じた赤外線信号がリモコン受光部２０にて受光され、マイコン１９が同赤外線信号に応じた信号を入力する。この意味で、マイコン１９とリモコンとリモコン受光部２０は本発明の入力手段に相当する。
【００３４】
ステップＳ２１０において一括削除の実行を指示する操作が受け付けられない場合には、通常の受信を継続する。一方、一括削除の実行を指示する操作が受け付けられた場合には、ステップＳ２２０にて現在受信しているチャンネルのＲＦ−ＡＧＣ電圧を基準ＡＧＣ電圧として取得する。チャンネルリストＴ１には各チャンネルのＲＦ−ＡＧＣ電圧が記憶されているため、現在受信しているチャンネルのＲＦ−ＡＧＣ電圧を取得することができる。また、チャンネルリストＴ１からＲＦ−ＡＧＣ電圧を取得するのではなく、現在マイコン１９のＡ／Ｄポート１９ｅに入力されているＲＦ−ＡＧＣ電圧を基準ＡＧＣ電圧として取得するようにしてもよい。ステップＳ２２０を実行するマイコン１９が本発明の基準ＡＧＣ電圧取得手段に相当する。
【００３５】
ステップＳ２３０においては、マイコン１９がチャンネルリストＴ１を参照して、基準ＡＧＣ電圧よりも高いＲＦ−ＡＧＣ電圧が記憶されたチャンネルを検索する。上述したとおり映像信号の信号強度が弱い場合には高いＲＦ−ＡＧＣ電圧が出力されるため、ここで検索されるチャンネルは現在受信しているチャンネルよりも、受信状態が悪く、映像や音声の品質が悪いチャンネルであるということができる。この意味でステップＳ２３０を実行するマイコン１９は本発明の検索手段に相当する。以上のように検索されたチャンネルはステップＳ２４０において一覧表示される。すなわち、マイコン１９が検索されたチャンネルを一覧表示させるための映像信号を作成し、映像信号処理回路１５に同映像信号を出力することにより、最終的にＣＲＴにて一覧表示が出力される。なお、ステップＳ２４０を実行するマイコン１９と映像信号処理回路１５とＣＲＴは、本発明の一覧表示手段に相当する。
【００３６】
図５は、ＣＲＴに表示される一覧表示の一例を示している。同図において、ステップＳ２３０にて検索されたチャンネルと、それまで受信していたチャンネルのチャンネル番号の一覧がＲＦ−ＡＧＣ電圧の高い順に表示されており、各チャンネル番号の横にチェックボックスが設けられている。リモコンによってチェックボックスをチェックすることにより、そのチャンネルが削除されるように指定することができる。また、一括指定を行うためのチェックボックスも設けられており、同チェックボックスをチェックすることにより、表示されたチャンネルのチェックボックスを全てチェックすることも可能となっている。このようにして、マイコン１９はステップＳ２４０にて、リモコン受光部２０を介して一括削除を実行するチャンネルの指定を受け付ける。なお、ステップＳ２４０にて使用者の入力を受け付けるマイコン１９とリモコン受光部２０とリモコンは、本発明のチャンネル指定手段に相当する。
【００３７】
ステップＳ２５０においては、ステップＳ２４０にて一括削除を実行するように指定されたチャンネルをチャンネルリストＴ１から削除する。厳密にはチャンネルリストＴ１から当該チャンネルに関するデータを物理的に消去するのではなく、当該チャンネルを無効化するフラグを添付する。むろん、物理的に消去してもよい。このようにすることにより、使用者が削除したいと思うチャンネルを一括して削除することができ、使い勝手がよい。また、削除する候補のチャンネルをステップＳ２３０にて受信状態が悪いチャンネルに絞り込んでいるため、受信状態がよいチャンネルが誤って削除されることが防止できる。すなわち、一括削除を実行することにより、同期信号や中間周波数が適正であっても、信号強度が弱くなるスプリアス信号に対応して誤ってプリセットされたチャンネルを削除することができる。
【００３８】
また、使用者が見づらいと感じるチャンネルを基準として、それよりも受信状態が悪いチャンネルを一括削除の候補として挙げることができるため、感覚的に受信状態が悪いチャンネルを一括削除することができる。むろん、ステップＳ２４０の一覧表示にて、削除するチャンネルを指定する機会が与えられるため、受信状態が悪くても気に入っているチャンネルは削除されないように指定することができる。なお、ステップＳ２５０を実行させるマイコン１９が本発明の一括削除手段に相当する。
【００３９】
（３）まとめ：
以上説明したように、本発明では、予めチャンネルリストＴ１に記憶されたＲＦ−ＡＧＣ電圧に基づいて受信状態が悪いチャンネルを検索し、同検索されたチャンネルを一括して削除している。各チャンネルを個別に削除する必要がなく使い勝手がよくなる。また、一括削除されるチャンネルの候補を受信状態が悪いチャンネルに絞り込むため、受信状態がよいチャンネルが誤って削除されることが防止できる。
【図面の簡単な説明】
【００４０】
【図１】テレビジョンのブロック構成図である。
【図２】チャンネルを示す図である。
【図３】オートプリセットの流れを示すフローチャートである。
【図４】一括削除処理の流れを示すフローチャートである。
【図５】一覧表示の表示例を示す図である。
【符号の説明】
【００４１】
１０…テレビジョン
１０ａ…アンテナ端子
１１…チューナ
１２…ＳＡＷフィルタ
１３…中間周波増幅回路
１４…映像検波回路
１５…映像信号処理回路
１５ａ…同期分離回路
１６…ＡＧＣ回路
１７…ＡＦＴ回路
１８…ＥＥＰＲＯＭ
１９…マイコン
１９ｅ，１９ｆ…Ａ／Ｄポート
２０…リモコン受光部
３０…アンテナ
【図１】
2007005919.tif 000003
【図２】
2007005919.tif 000004
【図３】
2007005919.tif 000005
【図４】
2007005919.tif 000006
【図５】
2007005919.tif 000007